(57)【要約】【課題】ジャムを解除するための作業を簡素化することができるようにする。【解決手段】画像形成ユニットと、装置本体１１と、前記画像形成ユニットを保持するための第１のフレーム２１と、該第１フレーム２１を揺動自在に支持する第２のフレーム２７と、前記装置本体１１に配設され、前記第２のフレーム２７を回転自在に支持する支持部とを有する。そして、前記第１のフレーム２１は前記第２のフレーム２７の回動に伴って移動させられる。第２のフレーム２７を回動させるのに伴って第１のフレーム２１を上方に移動させることができるので、ジャムを解除するための作業を簡素化することができる。【選択図】図１
2006235528.tif 000002
【特許請求の範囲】
【請求項１】
（ａ）画像形成ユニットと、
（ｂ）装置本体と、
（ｃ）前記画像形成ユニットを保持するための第１のフレームと、
（ｄ）該第１フレームを揺動自在に支持する第２のフレームと、
（ｅ）前記装置本体に配設され、前記第２のフレームを回転自在に支持する支持部とを有するとともに、
（ｆ）前記第１のフレームは前記第２のフレームの回動に伴って移動させられることを特徴とする画像記録装置。
【請求項２】
前記第１のフレームは、上下方向に移動させられた後、回動させられる請求項１に記載の画像記録装置。
【請求項３】
前記装置本体は、第１のフレームを上下方向に移動するように案内する案内面を備える請求項２に記載の画像記録装置。
【請求項４】
前記支持部は、媒体の搬送方向に対して直交する方向において第２のフレームを回転自在に支持する請求項１に記載の画像記録装置。
【請求項５】
前記媒体の搬送方向において回転自在に支持されたカバーを有する請求項４に記載の画像記録装置。
【請求項６】
（ａ）前記第１のフレームと第２のフレームとを連結する接続部材を有するとともに、
（ｂ）該接続部材は、前記第１、第２のフレームに対して揺動自在に支持される請求項１に記載の画像記録装置。
【発明の詳細な説明】
【技術分野】
【０００１】
本発明は、画像記録装置に関するものである。
【背景技術】
【０００２】
従来、電子写真式のプリンタ、複写機、ファクシミリ装置、ＭＰＦ等の画像記録装置のうちの、例えば、カラーのプリンタにおいては、複数の画像形成部が並べて配設され、各画像形成部において、ブラック、イエロー、マゼンタ及びシアンの各色のトナー像が形成されるようになっている。そして、各画像形成部において感光体ドラムの表面に形成されたトナー像は、消耗品として配設された転写ベルトによって搬送される用紙上に順次重ねて転写され、カラーのトナー像が形成される。続いて、カラーのトナー像が形成された用紙は、定着装置に送られ、該定着装置においてトナー像が定着させられ、カラー画像になる。
【０００３】
図２は従来のプリンタの要部を示す斜視図である。
【０００４】
図において、１１は装置本体であり、該装置本体１１は、プリンタの正面側及び背面側に、互いに対向させて配設されたサイドプレート１４、１５を備える。また、１６は前記装置本体１１に対して着脱自在に配設された画像形成ユニットであり、該画像形成ユニット１６は、フレーム１８、該フレーム１８に対して着脱自在に、かつ、互いに並設させて配設された画像形成部１２Ｂｋ、１２Ｙ、１２Ｍ、１２Ｃ、及び該各画像形成部１２Ｂｋ、１２Ｙ、１２Ｍ、１２Ｃに隣接させて配設された図示されないＬＥＤヘッドを備える。そして、前記各画像形成部１２Ｂｋ、１２Ｙ、１２Ｍ、１２Ｃは、感光体ドラム、帯電ローラ、現像ローラ、クリーニングブレード等を備える。
【０００５】
前記フレーム１８は、四角形の形状を有するフレーム１８ａ、及び該フレーム１８ａの二辺において上方に立ち上げて形成された一対の取手１８ｂ、１８ｃを備え、操作者は、取手１８ｂ、１８ｃを把持してフレーム１８を装置本体１１にセットしたり、装置本体１１から取り外したりすることができる。
【０００６】
そして、１７は、前記フレーム１８の直下において、装置本体１１に対して着脱自在に配設された転写ユニットであり、該転写ユニット１７は、図示されない駆動ローラ、図示されない従動ローラ、前記駆動ローラと従動ローラとの間に走行自在に張設されたベルト２０、及び該ベルト２０内において前記各感光体ドラムと対向させて配設された図示されない転写ローラを備える。
【０００７】
この場合、前記フレーム１８及び転写ユニット１７を装置本体１１にセットすると、各感光体ドラムと各転写ローラとがベルト２０を介して圧接させられ、感光体ドラムの回転及びベルト２０の走行に伴って、図示されない用紙がベルト２０によって搬送される。そして、その間、各画像形成部１２Ｂｋ、１２Ｙ、１２Ｍ、１２Ｃによって形成された各色のトナー像が転写ローラによって用紙に転写される。
【０００８】
ところで、前記構成のプリンタにおいて、各画像形成部１２Ｂｋ、１２Ｙ、１２Ｍ、１２Ｃに沿って搬送される用紙にジャム（紙詰り）が発生すると、操作者は、プリンタのカバーを開き、続いて、前記取手１８ｂ、１８ｃを把持してフレーム１８を上方に持ち上げ、装置本体１１外に移動させた後、装置本体１１内に残留している用紙を取り出し、ジャムを解除するようにしている。
【特許文献１】特開平８−５４８１７号公報
【発明の開示】
【発明が解決しようとする課題】
【０００９】
しかしながら、前記従来のプリンタにおいては、各画像形成部１２Ｂｋ、１２Ｙ、１２Ｍ、１２Ｃの重量が大きいので、フレーム１８を上方に持ち上げるのが困難であるだけでなく、装置本体１１外にフレーム１８を載置するスペースを確保する必要があり、ジャムを解除するための作業が煩わしい。
【００１０】
本発明は、前記従来のプリンタの問題点を解決して、ジャムを解除するための作業を簡素化することができる画像記録装置を提供することを目的とする。
【課題を解決するための手段】
【００１１】
そのために、本発明の画像記録装置においては、画像形成ユニットと、装置本体と、前記画像形成ユニットを保持するための第１のフレームと、該第１フレームを揺動自在に支持する第２のフレームと、前記装置本体に配設され、前記第２のフレームを回転自在に支持する支持部とを有する。
【００１２】
そして、前記第１のフレームは前記第２のフレームの回動に伴って移動させられる。
【発明の効果】
【００１３】
本発明によれば、画像記録装置においては、画像形成ユニットと、装置本体と、前記画像形成ユニットを保持するための第１のフレームと、該第１フレームを揺動自在に支持する第２のフレームと、前記装置本体に配設され、前記第２のフレームを回転自在に支持する支持部とを有する。
【００１４】
そして、前記第１のフレームは前記第２のフレームの回動に伴って移動させられる。
【００１５】
この場合、第２のフレームを回動させるのに伴って第１のフレームを上方に移動させることができるので、ジャムを解除するための作業を簡素化することができる。
【発明を実施するための最良の形態】
【００１６】
以下、本発明の実施の形態について図面を参照しながら詳細に説明する。この場合、画像記録装置のうちのカラーのプリンタについて説明する。
【００１７】
図３は本発明の第１の実施の形態におけるプリンタの概念図である。
【００１８】
図において、１１は装置本体であり、該装置本体１１内には画像形成ユニット４６が配設され、該画像形成ユニット４６は、媒体としての図示されない用紙を搬送するための搬送路に沿って、互いに並設させて配設された画像形成部１２Ｂｋ、１２Ｙ、１２Ｍ、１２Ｃ、及び該各画像形成部１２Ｂｋ、１２Ｙ、１２Ｍ、１２Ｃに隣接させて配設された露光装置としてのＬＥＤヘッド１３を備える。前記各画像形成部１２Ｂｋ、１２Ｙ、１２Ｍ、１２Ｃは、像担持体としての感光体ドラム、帯電装置としての帯電ローラ、現像剤担持体としての現像ローラ、クリーニング装置としてのクリーニングブレード等を備え、各色の現像剤像としてのトナー像を形成する。
【００１９】
前記画像形成ユニット４６の下方には、用紙を搬送するとともに、前記各色のトナー像を用紙に転写するための転写ユニット１７が配設され、各画像形成部１２Ｂｋ、１２Ｙ、１２Ｍ、１２Ｃと転写ユニット１７との間に前記搬送路が形成される。前記転写ユニット１７は、駆動ローラ１９ａ、従動ローラ１９ｂ、前記駆動ローラ１９ａと従動ローラ１９ｂとの間に走行自在に張設された搬送部材としてのベルト２０、及び該ベルト２０内において前記各感光体ドラムと対向させて配設された転写ローラ３１を備える。
【００２０】
前記用紙の搬送方向における転写ユニット１７より下流には、転写されたトナー像を用紙に定着し、カラー画像を形成するための定着ユニット２６が配設される。
【００２１】
また、前記装置本体１１内の転写ユニット１７より下方には、両面印刷を行う際に用紙を反転させるための反転部３２が、該反転部３２より下方には、用紙をセットするための第１の媒体積載部としてのトレイ３３が、前記装置本体１１の右側面には比較的少量の用紙を給紙するための第２の媒体積載部としての手差しトレイ３４が、前記装置本体１１の左側面にはカラー画像が形成された後の用紙を蓄積するためのスタッカ３７、装置本体１１の上端面には、排出された用紙を蓄積するためのスタッカ３５が配設される。
【００２２】
そして、用紙をトレイ３３から給紙する場合、ホスト側から印刷起動が送られると、トレイ３３の近傍に配設された給紙ローラＲ１によってトレイ３３に積載されている用紙を繰り出して給紙する。次に、給紙された用紙は、搬送ローラＲ２〜Ｒ４及びレジストローラＲ５によって転写ユニット１７に送られ、転写ユニット１７のベルト２０に吸着され、ベルト２０の走行に伴って搬送される。
【００２３】
一方、前記画像形成部１２Ｂｋ、１２Ｙ、１２Ｍ、１２Ｃにそれぞれ配設された感光体ドラムは、ベルト２０に接触している。これにより、該ベルト２０に吸着されて搬送される用紙は、その表面が前記各感光体ドラムに接触しながら搬送される。このとき、感光体ドラム上に形成された各色のトナー像は、各転写ローラ３１によって用紙に転写される。
【００２４】
そして、各色のトナー像を重ねることによってカラーのトナー像が形成された用紙は、定着ユニット２６に送られ、定着ユニット２６によって定着させられ、カラー画像が形成される。
【００２５】
ところで、前記各画像形成部１２Ｂｋ、１２Ｙ、１２Ｍ、１２Ｃに沿って搬送される用紙にジャムが発生すると、操作者は、プリンタのカバーを開き、続いて、前記画像形成ユニット４６を上方に持ち上げ、装置本体１１内に残留している用紙を取り出し、ジャムを解除するようにしている。そのために、移動機構が配設され、該移動機構によって前記画像形成ユニット４６が装置本体１１に対して移動自在に配設される。なお、カバーは用紙の搬送方向において回動自在に配設される。
【００２６】
図１は本発明の第１の実施の形態における移動機構の第１の状態を示す斜視図、図４は本発明の第１の実施の形態における移動機構の第１の状態を示す側面図、図５は本発明の第１の実施の形態における移動機構の第１の状態を示す拡大図、図６は本発明の第１の実施の形態における画像形成ユニットの状態を示す図、図７は本発明の第１の実施の形態における移動機構の第２の状態を示す側面図、図８は本発明の第１の実施の形態における移動機構の第２の状態を示す斜視図、図９は本発明の第１の実施の形態における移動機構と画像形成ユニットとの関係を示す図、図１０は本発明の第１の実施の形態における移動機構の第２の状態を示す拡大図、図１１は本発明の第１の実施の形態における移動機構の第３の状態を示す側面図、図１２は本発明の第１の実施の形態における移動機構の第３の状態を示す斜視図である。
【００２７】
図において、１１は装置本体であり、該装置本体１１は、プリンタの正面側及び背面側に、互いに対向させて配設されたサイドプレート１４、１５を備える。サイドプレート１４において、上端に第１の係止部ｍ１が形成され、サイドプレート１５において、上端より下方における第１の係止部ｍ１と同じ高さの位置に、第２の係止部ｍ２が形成される。
【００２８】
また、２１は、装置本体１１に対して上下方向に移動自在に配設され、四角形の形状を有する第１のフレームであり、該第１のフレーム２１は、前記サイドプレート１４、１５間に延在させて、互いに平行に配設された枠材２１ａ、２１ｂ、及び前記サイドプレート１４、１５と平行に、かつ、枠材２１ａ、２１ｂの両端間に延在させて配設された枠材２１ｃ、２１ｄを備え、前記枠材２１ａ〜２１ｄによって包囲された空間に、画像形成ユニット４６が着脱自在に配設される。
【００２９】
前記第１のフレーム２１には、画像形成ユニット４６をセットすることができるようになっていて、そのために、枠材２１ｃ、２１ｄは、サイドプレート１４、１５の内側において下方に延びる垂下部２１ｅ、２１ｆを備え、上端から垂下部２１ｅ、２１ｆの所定の位置に向けて、各画像形成部１２Ｂｋ、１２Ｙ、１２Ｍ、１２Ｃをセットするための穴ｈ１、ｈ２が４個ずつ形成される。したがって、各画像形成部１２Ｂｋ、１２Ｙ、１２Ｍ、１２Ｃは、枠材２１ｃ、２１ｄ間に架設されることになる。
【００３０】
また、２７は、装置本体１１に対して揺動自在に配設され、「コ」字状の形状を有する第２のフレームであり、該第２のフレーム２７は、前記サイドプレート１４、１５間に延在させて、互いに平行に配設された枠材２７ａ、２７ｂ、及び前記サイドプレート１４と平行に、かつ、枠材２７ａ、２７ｂの前端間に延在させて配設された枠材２７ｃを備える。該枠材２７ｃの中央には、操作者が第２のフレーム２７を把持するために、前方に突出させて取手２７ｈが形成される。
【００３１】
そして、２８は、前記サイドプレート１５の上端に取り付けられた基材部としてのベースプレートであり、該ベースプレート２８に、切起こしによって複数の支持部２８ａ〜２８ｅが立ち上げて形成され、各支持部２８ａ〜２８ｅに穴が形成される。２９は、前記ベースプレート２８上に、前記第２のフレーム２７を揺動自在に支持するためのシャフトであり、該シャフト２９は、サイドプレート１５と平行に、所定の高さで延在させて配設され、各支持部２８ａ〜２８ｅの穴を貫通して延び、各支持部２８ａ〜２８ｅによって回動自在に支持される。また、前記枠材２７ａ、２７ｂの後端の近傍に穴が形成され、前記シャフト２９は、枠材２７ａ、２７ｂの穴を貫通して延びる。したがって、第２のフレーム２７は各支持部２８ａ〜２８ｅの穴を揺動中心として装置本体１１に対して揺動自在に支持される。なお、前記第１、第２のフレーム２１、２７及びベースプレート２８によって移動機構が構成される。
【００３２】
また、前記枠材２７ａ、２７ｂのほぼ中央における、画像形成ユニット４６の重心位置よりシャフト２９に近い位置に、長穴としての小判穴５１が形成され、該各小判穴５１に、前記枠材２１ａ、２１ｂのほぼ中央に形成された軸体としてのポスト３６が挿入される。そのために、前記枠材２１ａ、２１ｂのほぼ中央に、上方に向けて係合部端部ｂｒ１が形成され、該各係合部端部ｂｒ１の上端にポスト３６が形成される。その結果、第１のフレーム２１は、第２のフレーム２７に対して、ポスト３６を揺動中心として揺動自在に支持されるとともに、小判穴５１内においてポスト３６が移動するのに伴って、サイドプレート１４側又はサイドプレート１５側に移動自在に支持される。前記小判穴５１はポスト３６の移動を規制するリミッタとしての役割を果たす。
【００３３】
次に、ジャムが発生したときに、ジャムを解除する手順について説明する。
【００３４】
まず、用紙に対して印刷を行っている間、図１、４〜６に示されるように、移動機構は第１の状態に置かれ、第１のフレーム２１は水平にされ、第２のフレーム２７は傾斜させられる。また、このとき、ポスト３６は小判穴５１内においてプリンタの正面側に位置させられる。そして、枠材２１ａ、２１ｂの両端は、前記第１、第２の係止部ｍ１、ｍ２と係止され、その状態で、各画像形成部１２Ｂｋ、１２Ｙ、１２Ｍ、１２Ｃの各感光体ドラムと転写ユニット１７とが当接させられる。
【００３５】
ところで、前記サイドプレート１４、１５には、前記垂下部２１ｅ、２１ｆと平行に、かつ、対向させて、第１のフレーム２１を案内する案内面１４ａ、１５ａが形成され、前記垂下部２１ｅと案内面１４ａとの間、及び垂下部２１ｆと案内面１５ａとの間に、わずかな隙間が形成される。
【００３６】
そして、例えば、用紙が静電気によって密着して搬送され、重送が起こると、転写ユニット１７上に用紙が残り、ジャムが発生してしまう。その場合、図示されないジャム検知機構は、ジャムが発生したことを検出すると、図示されない制御部にジャム検出信号を送る。そして、前記制御部の印刷停止処理手段は、印刷停止処理を行い、ジャム検出信号を受けると、印刷を停止させ、プリンタを停止させる。
【００３７】
このとき、操作者が、ジャムを解除しようとして取手２７ｈを上方に持ち上げると、図５に示されるように、第２のフレーム２７は矢印Ａ方向に回動させられる。
【００３８】
これに伴って、第１のフレーム２１は、第２のフレーム２７と共に矢印Ａ方向に回動させられようとするが、案内面１４ａ、１５ａによって回動が規制され、上下方向に移動するように案内される。したがって、第１のフレーム２１は、画像形成ユニット４６と共に、サイドプレート１４、１５によって挟まれ、案内面１４ａ、１５ａによって案内され、水平に維持された状態で上方、すなわち、矢印Ｂ方向に移動させられる。
【００３９】
続いて、第２のフレーム２７において枠材２７ｃ側がシャフト２９側より高くなると、第１のフレーム２１及び画像形成ユニット４６の重みで、第１のフレーム２１はシャフト２９側に移動し、ポスト３６は小判穴５１内においてプリンタの背面側に位置させられる。
【００４０】
そして、前記垂下部２１ｅの下端が案内面１４ａ、１５ａの上端１４ｃ、１４ｄから外れ、前記垂下部２１ｆの下端が案内面１５ａの上端から外れ、図７及び８に示されるように、移動機構が第２の状態に置かれると、第１のフレーム２１は、案内面１４ａ、１５ａによる回動の規制が解除され、図９に示されるように、ポスト３６を回動中心として矢印Ｃ方向に回動させられる。
【００４１】
続いて、枠材２１ｃ、２１ｄの後端２１ｇが、枠材２７ａの後端の近傍における後端２１ｇと対応する箇所に形成されたリミッタ部２７ｄと当接すると、第１のフレーム２１の回動が阻止される。
【００４２】
次に、操作者が、取手２７ｈを更に上方に持ち上げると、図１１及び１２に示されるように、第２のフレーム２７は、第１のフレーム２１と共に、更に矢印Ａ方向に回動させられ、移動機構は第３の状態に置かれる。
【００４３】
この場合、第１のフレーム２１を装置本体１１から取り外すことなく、画像形成ユニット４６の下に空間が形成され、手を挿入することができるので、ジャムを発生させた用紙Ｐをベルト２０から容易に除去することができる。したがって、ジャムを解除するための作業を簡素化することができる。
【００４４】
また、画像形成ユニット４６は、用紙Ｐの搬送方向に対して直交する方向において、すなわち、直交する平面上で回転させられるので、図１２に示されるように、用紙Ｐがどの位置で停止していても、用紙Ｐを取り出す角度を一定にすることができる。
【００４５】
続いて、操作者が、取手２７ｈを押し下げると、移動機構は第３の状態から第２の状態を経て第１の状態に置かれる。なお、第２の位置から第１の位置に移行するときに、第１のフレーム２１は、画像形成ユニット４６と共に、サイドプレート１４、１５によって挟まれ、案内面１４ａ、１５ａによって案内され、水平に維持された状態で下方に移動させられる。
【００４６】
ところで、本実施の形態においては、第２のフレーム２７の回動に伴って第１のフレーム２１が上下方向に移動する際に、ポスト３６の外周面と小判穴５１の内周面とが摺動し、摩擦負荷が大きくなってしまう。そこで、移動機構を円滑に第１〜第３の状態に置くことができるようにした本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００４７】
図１３は本発明の第２の実施の形態における移動機構の第１の状態を示す斜視図、図１４は本発明の第２の実施の形態における移動機構の第１の状態を示す側面図、図１５は本発明の第２の実施の形態における移動機構の第１の状態を示す拡大図、図１６は本発明の第２の実施の形態における移動機構の第２の状態を示す側面図、図１７は本発明の第２の実施の形態における移動機構の第２の状態を示す斜視図、図１８は本発明の第２の実施の形態における移動機構の第２の状態を示す拡大図、図１９は本発明の第２の実施の形態における移動機構の第３の状態を示す側面図である。
【００４８】
図において、４５は枠材２１ａ、２１ｂのほぼ中央に形成された第１の軸体としてのポストであり、該ポスト４５は、枠材２１ａ、２１ｂの両面に所定の量だけ突出させて形成される。また、４７は、枠体２７ａ、２７ｂのほぼ中央における、画像形成ユニット４６の重心位置よりシャフト２９に近い位置に形成された第２の軸体としてのポストであり、該ポスト４６は、枠材２７ａ、２７ｂの両面に所定の量だけ突出させて形成される。
【００４９】
そして、４４は、ほぼ「く」字状の形状を有し、中央の折曲部ｘ、及び該折曲部ｘから両端に向けて延びる第１、第２の腕部ａｍ１、ａｍ２を備えた接続部材としてのリンクであり、該リンク４４は、折曲部ｘの谷側をサイドプレート１４に、山側をサイドプレート１５に向けて配設され、両端においてポスト４５、４７によって揺動自在に支持される。なお、前記第１、第２の腕部ａｍ１、ａｍ２は、「コ」字状の形状を有し、第１の腕部ａｍ１において枠材２１ａ、２１ｂを、第２の腕部ａｍ２において枠材２７ａ、２７ｂを両側から挟持する。
【００５０】
次に、ジャムが発生したときの前記構成のプリンタの動作について説明する。
【００５１】
操作者が、ジャムを解除しようとして、第１の状態に置かれた移動機構において、取手２７ｈを上方に持ち上げると、図１５に示されるように、第２のフレーム２７は、各支持部２８ａ（図１）〜２８ｅの穴を回動中心として矢印Ａ方向に回動させられる。
【００５２】
これに伴って、第１のフレーム２１は、第２のフレーム２７と共に矢印Ａ方向に回動させられようとするが、案内面１４ａ（図６）、１５ａによって回動が規制される。したがって、第１のフレーム２１は、画像形成ユニット４６と共に、サイドプレート１４、１５によって挟まれ、案内面１４ａ、１５ａによって案内され、水平に維持された状態で矢印Ｂ方向に移動させられる。
【００５３】
続いて、第２のフレーム２７において枠材２７ｃ側がシャフト２９側より高くなり、垂下部２１ｅの下端が案内面１４ａの上端から外れ、前記垂下部２１ｆの下端が案内面１５ａの上端から外れ、図１６に示されるように、移動機構が第２の状態に置かれると、第１のフレーム２１は、案内面１４ａ、１５ａによる回動の規制が解除され、ポスト４５を回動中心として矢印Ｃ方向に回動させられる。
【００５４】
続いて、枠材２１ｃ、２１ｄの後端２１ｇがリミッタ部２７ｄと当接すると、第１のフレーム２１の回動が阻止される。このとき、リンク４４は画像形成ユニット４６を回動中心として、図１５及び１８に示される矢印Ｅ方向に回動する。そして、前記折曲部ｘからサイドプレート１５側に向けて形成された突当部４４ａが枠材２７ａに対応する箇所に形成された被突当部４２ｂに突き当たると、リンク４４の回動は停止させられる。
【００５５】
次に、操作者が、取手２７ｈを更に上方に持ち上げると、図１９に示されるように、第２のフレーム２７は、第１のフレーム２１と共に、更に矢印Ａ方向に回動させられ、移動機構は第３の状態に置かれる。
【００５６】
続いて、操作者が、取手２７ｈを押し下げると、移動機構は第３の状態から第２の状態を経て第１の状態に置かれる。なお、第２の位置から第１の位置に移行するときに、第１のフレーム２１は、画像形成ユニット４６と共に、サイドプレート１４、１５によって挟まれ、案内面１４ａ、１５ａによって案内され、水平に維持された状態で下方に移動させられる。
【００５７】
このように、本実施の形態においては、第１のフレーム２１と第２のフレーム２７とがリンク４４によって連結され、かつ、該リンク４４がそれぞれ独立に第１、第２のフレーム２１、２７に対して揺動自在に配設されるので、第２のフレーム２７の回動に伴って第１のフレーム２１が垂直方向に移動する際の摩擦負荷を小さくすることができる。
【００５８】
したがって、移動機構を円滑に第１〜第３の状態に置くことができる。
【００５９】
なお、本発明は前記実施の形態に限定されるものではなく、本発明の趣旨に基づいて種々変形させることが可能であり、それらを本発明の範囲から排除するものではない。
【図面の簡単な説明】
【００６０】
【図１】本発明の第１の実施の形態における移動機構の第１の状態を示す斜視図である。
【図２】従来のプリンタの要部を示す斜視図である。
【図３】本発明の第１の実施の形態におけるプリンタの概念図である。
【図４】本発明の第１の実施の形態における移動機構の第１の状態を示す側面図である。
【図５】本発明の第１の実施の形態における移動機構の第１の状態を示す拡大図である。
【図６】本発明の第１の実施の形態における画像形成ユニットの状態を示す図である。
【図７】本発明の第１の実施の形態における移動機構の第２の状態を示す側面図である。
【図８】本発明の第１の実施の形態における移動機構の第２の状態を示す斜視図である。
【図９】本発明の第１の実施の形態における移動機構と画像形成ユニットとの関係を示す図である。
【図１０】本発明の第１の実施の形態における移動機構の第２の状態を示す拡大図である。
【図１１】本発明の第１の実施の形態における移動機構の第３の状態を示す側面図である。
【図１２】本発明の第１の実施の形態における移動機構の第３の状態を示す斜視図である。
【図１３】本発明の第２の実施の形態における移動機構の第１の状態を示す斜視図である。
【図１４】本発明の第２の実施の形態における移動機構の第１の状態を示す側面図である。
【図１５】本発明の第２の実施の形態における移動機構の第１の状態を示す拡大図である。
【図１６】本発明の第２の実施の形態における移動機構の第２の状態を示す側面図である。
【図１７】本発明の第２の実施の形態における移動機構の第２の状態を示す斜視図である。
【図１８】本発明の第２の実施の形態における移動機構の第２の状態を示す拡大図である。
【図１９】本発明の第２の実施の形態における移動機構の第３の状態を示す側面図である。
【符号の説明】
【００６１】
１１    装置本体
２１、２７    第１、第２のフレーム
２８    ベースプレート
４６    画像形成ユニット
【図１】
2006235528.tif 000003
【図２】
2006235528.tif 000004
【図３】
2006235528.tif 000005
【図４】
2006235528.tif 000006
【図５】
2006235528.tif 000007
【図６】
2006235528.tif 000008
【図７】
2006235528.tif 000009
【図８】
2006235528.tif 000010
【図９】
2006235528.tif 000011
【図１０】
2006235528.tif 000012
【図１１】
2006235528.tif 000013
【図１２】
2006235528.tif 000014
【図１３】
2006235528.tif 000015
【図１４】
2006235528.tif 000016
【図１５】
2006235528.tif 000017
【図１６】
2006235528.tif 000018
【図１７】
2006235528.tif 000019
【図１８】
2006235528.tif 000020
【図１９】
2006235528.tif 000021
【手続補正書】
【提出日】平成17年3月9日(2005.3.9)
【手続補正１】
【補正対象書類名】図面
【補正対象項目名】全図
【補正方法】変更
【補正の内容】
【図１】
2006235528.tif 000022
【図２】
2006235528.tif 000023
【図３】
2006235528.tif 000024
【図４】
2006235528.tif 000025
【図５】
2006235528.tif 000026
【図６】
2006235528.tif 000027
【図７】
2006235528.tif 000028
【図８】
2006235528.tif 000029
【図９】
2006235528.tif 000030
【図１０】
2006235528.tif 000031
【図１１】
2006235528.tif 000032
【図１２】
2006235528.tif 000033
【図１３】
2006235528.tif 000034
【図１４】
2006235528.tif 000035
【図１５】
2006235528.tif 000036
【図１６】
2006235528.tif 000037
【図１７】
2006235528.tif 000038
【図１８】
2006235528.tif 000039
【図１９】
2006235528.tif 000040